(57)【要約】【課題】吸収コアを有する吸収部の着用者の排泄部位の付近に位置する部分での吸液が他の部分に比して集中的に進行するのを防止し、吸収部全体で効率よく吸液を行わせることができる使い捨て吸収性物品を提供する。【解決手段】使い捨て吸収性物品であるおむつ１の吸収部１３には、２層の繊維集合コア２１，２２を有が備えられる。吸収部１３の内部には、不透液性の材料により形成された遮液シート１４が配置される。この遮液シート１４は、繊維集合コア２１，２２の間において、着用者の身体における排泄液を排泄する排泄部位の付近にのみ位置するように配置されている。【選択図】図２
2010142489.tif 000002
【特許請求の範囲】
【請求項１】
着用者の股部に着用される使い捨て吸収性物品であって、
着用者が排泄した排泄液を吸収する少なくとも１層の吸収コアを有する吸収部と、
不透液性の材料により形成され、前記吸収コアの間又はいずれかの前記吸収コアの内部において、着用者の身体における排泄液を排泄する排泄部位の付近にのみ位置するように配置された遮液シートと、
を備えることを特徴とする使い捨て吸収性物品。
【請求項２】
請求項１に記載の使い捨て吸収性物品において、
前記遮液シートは、前記使い捨て吸収性物品の厚み方向から見て、該遮液シートの外周縁の全体が前記吸収部の外周縁よりも内方に位置し、かつ、前記使い捨て吸収性物品の縦方向及び横方向の中央が該遮液シートの前記外周縁よりも内方に位置するように配置されていることを特徴とする使い捨て吸収性物品。
【請求項３】
請求項１又は請求項２に記載の使い捨て吸収性物品において、
前記吸収コアは、集合された繊維を少なくとも備えて構成された繊維集合体を有する繊維集合コアであり、
前記吸収部は、前記繊維集合コアを複数層備え、
前記遮液シートは、前記繊維集合コアの間に配置されていることを特徴とする使い捨て吸収性物品。
【請求項４】
請求項１又は請求項２に記載の使い捨て吸収性物品において、
透液性を有し、前記吸収部の肌面側に配置される表面シートをさらに備え、
前記吸収部は、２層の前記吸収コアとして、前記表面シートの外面側に配置された吸収性樹脂シートと、前記吸収性樹脂シートの外面側に配置された繊維集合コアとを備え、
前記遮液シートは、前記吸収性樹脂シートと前記繊維集合コアとの間に配置され、
前記吸収性樹脂シートは、複数枚の透液性の不織布シートと、前記不織布シートの間に繊維を含まずに内包された吸収性樹脂粉末とを備え、
前記繊維集合コアは、集合された繊維を少なくとも備えて構成された繊維集合体を有することを特徴とする使い捨て吸収性物品。
【請求項５】
請求項１ないし請求項４のいずれかに記載の使い捨て吸収性物品において、
前記遮液シートは、フィルム状のプラスチックシートであることを特徴とする使い捨て吸収性物品。
【請求項６】
請求項１ないし請求項４のいずれかに記載の使い捨て吸収性物品において、
前記遮液シートは、撥水性不織布シートであることを特徴とする使い捨て吸収性物品。
【発明の詳細な説明】
【技術分野】
【０００１】
本発明は、着用者の股部に着用される使い捨て吸収性物品に関する。
【背景技術】
【０００２】
着用者が使い捨て吸収性物品を着用した状態で排尿等の排泄液の排泄を行った場合、排泄液は、使い捨て吸収性物品の吸収コアを有する吸収部のうち、着用者の身体の排尿等を行う排泄部位の近く位置している排泄部位付近部分に最初に到達する場合が多い。それ故、吸収部のうち排泄部位付近部分での吸液が集中的に進み、排泄部位付近部分以外の部分での吸液が進みにくい傾向がある。このため、吸収部の排泄部位付近部分以外の部分の吸液量が限界量に対して十分に余裕があるにもかかわらず、排泄部位付近部分の吸液量が限界量に達してしまい、排泄された排泄液が吸収部により有効に吸収されずに、吸収性物品の外部に漏れるおそれがある。また、吸収部の排泄部位付近部分以外の部分での吸液が有効に進行しないため、吸収部全体の実質的な吸液容量が低下し、吸収部の吸液能力が十分に発揮されず、効率が悪い。
【０００３】
なお、先行技術文献としては、特許文献１が挙げられる。この特許文献１に記載の吸収性物品では、吸収コアを構成する第１及び第２吸収層の間に、着色されたティッシュペーパーや不織布からなり、第２吸収層の外形とほぼ同じ外形を有する有色シートが挟み込まれている（段落［００３７］、［００３８］、及び図６ないし図８等参照）。この有色シートと第１吸収層との色の違いにより、吸収性物品の中央部の位置が把握しやすくなっている（段落［００４４］参照）。この特許文献１に記載された有色シートと本願発明に係る遮液シートとは、構成及び役割等の点で全く相違するものである。
【特許文献１】特開２００６−２２３３２１号公報
【発明の開示】
【発明が解決しようとする課題】
【０００４】
そこで、本発明の解決すべき課題は、吸収コアを有する吸収部の着用者の排泄部位の付近に位置する部分での吸液が他の部分に比して集中的に進行するのを防止し、吸収部全体で効率よく吸液を行わせることができる使い捨て吸収性物品を提供することである。
【課題を解決するための手段】
【０００５】
上記の課題を解決するため、請求項１の発明では、着用者の股部に着用される使い捨て吸収性物品であって、着用者が排泄した排泄液を吸収する少なくとも１層の吸収コアを有する吸収部と、不透液性の材料により形成され、前記吸収コアの間又はいずれかの前記吸収コアの内部において、着用者の身体における排泄液を排泄する排泄部位の付近にのみ位置するように配置された遮液シートとを備える。
【０００６】
また、請求項２の発明では、請求項１の発明に係る使い捨て吸収性物品において、前記遮液シートは、前記使い捨て吸収性物品の厚み方向から見て、該遮液シートの外周縁の全体が前記吸収部の外周縁よりも内方に位置し、かつ、前記使い捨て吸収性物品の縦方向及び横方向の中央が該遮液シートの前記外周縁よりも内方に位置するように配置されている。
【０００７】
また、請求項３の発明では、請求項１又は請求項２の発明に係る使い捨て吸収性物品において、前記吸収コアは、集合された繊維を少なくとも備えて構成された繊維集合体を有する繊維集合コアであり、前記吸収部は、前記繊維集合コアを複数層備え、前記遮液シートは、前記繊維集合コアの間に配置されている。
【０００８】
また、請求項４の発明では、請求項１又は請求項２の発明に係る使い捨て吸収性物品において、透液性を有し、前記吸収部の肌面側に配置される表面シートをさらに備え、前記吸収部は、２層の前記吸収コアとして、前記表面シートの外面側に配置された吸収性樹脂シートと、前記吸収性樹脂シートの外面側に配置された繊維集合コアとを備え、前記遮液シートは、前記吸収性樹脂シートと前記繊維集合コアとの間に配置され、前記吸収性樹脂シートは、複数枚の透液性の不織布シートと、前記不織布シートの間に繊維を含まずに内包された吸収性樹脂粉末とを備え、前記繊維集合コアは、集合された繊維を少なくとも備えて構成された繊維集合体を有する。
【０００９】
また、請求項５の発明では、請求項１ないし請求項４のいずれかの発明に係る使い捨て吸収性物品において、前記遮液シートは、フィルム状のプラスチックシートである。
【００１０】
また、請求項６の発明では、請求項１ないし請求項４のいずれかの発明に係る使い捨て吸収性物品において、前記遮液シートは、撥水性不織布シートである。
【発明の効果】
【００１１】
請求項１に記載の発明によれば、不透液性の材料により形成された遮液シートが、吸収部の吸収コアの間又はいずれかの吸収コアの内部において、着用者の身体における排泄液を排泄する排泄部位の付近にのみ位置するように配置されている。それ故、着用者の排泄部位から排泄されて吸収部内に到達した排泄液が、遮液シートの表面に沿って周囲に拡散される。このため、吸収部の着用者の排泄部位の付近に位置する排泄部位付近部分での吸液が他の部分に比して集中的に進行するのを防止し、吸収部全体で効率よく吸液を行わせることができる。その結果、吸収部の排泄部位付近部分以外の部分の吸液量が限界量に対して十分に余裕がある状態で生じる排泄液の漏れを有効に抑制できるとともに、吸収部全体の実質的な吸液容量を向上させることができる。
【００１２】
また、遮液シートが吸収部の吸収コアの間又はいずれかの吸収コアの内部に配置され、吸収部の肌面側表面と遮液シートとの間には、吸収コア又は吸収コアの一部分が存在する。このため、吸収部内に到達した排泄液が遮液シートで止められて吸収部の肌面側表面に逆戻りするのを防止できる。
【００１３】
また、遮液シートが着用者の身体における排泄液を排泄する排泄部位の付近にのみ位置するように配置されている。このため、遮液シートによって周囲に拡散された排泄液が、吸収部内の遮液シートが存在しない部分（使い捨て吸収性物品の厚み方向から見て、遮液シートの外方の部分）を透過して、遮液シートよりも外面側に位置する吸収コア又は吸収コアの部分に到達することができ、その結果、吸収部全体で効率よく吸液を行わせることができる。
【００１４】
請求項２に記載の発明によれば、遮液シートが、使い捨て吸収性物品の厚み方向から見て、遮液シートの外周縁の全体が吸収部の外周縁よりも内方に位置し、かつ、使い捨て吸収性物品の縦方向及び横方向の中央が遮液シートの外周縁よりも内方に位置する。このため、遮液シートを着用者の身体における排泄液を排泄する排泄部位の付近に確実に位置させて、吸収部内に到達した排泄液を遮液シートにより的確に拡散させることができる。
【００１５】
請求項３に記載の発明によれば、吸収部に、集合された繊維を少なくとも備えて構成された繊維集合体を有する繊維集合コアが複数層備えられているため、吸収部の吸液容量を向上させることができる。しかも、その繊維集合コアの間に遮液シートが配置されているため、吸収部内に到達した排泄液を遮液シートにより効果的に拡散して、各層の繊維集合コアの全体で効率よく吸液を行わせることができる。
【００１６】
請求項４に記載の発明によれば、吸収部が、表面シートの外面側に配置された吸収性樹脂シートと、その吸収性樹脂シートの外面側に配置された繊維集合コアとを備えて構成されている。表面シートと繊維集合コアとの間に吸収性樹脂シートが配置されている。吸収性樹脂シートは、複数枚の透液性の不織布シートと、不織布シートの間に繊維を含まずに内包された吸収性樹脂粉末とを備えて構成されているため、厚さを薄く構成しながら、有効な吸液容量を確保できるとともに、一度吸収した排泄液を外部に逃がさない保水性に優れている。このような吸収性樹脂シートを表面シートと繊維集合コアとの間に配置しているため、吸収部の厚みを抑制しながら、吸収部の吸液容量を拡大できるとともに、一旦吸収部によって吸収された排泄液が表面シートを介して吸収性物品の肌面側に逆戻りするを防止できる。
【００１７】
また、吸収部の吸収性樹脂シートと繊維集合コアの間に遮液シートが配置されているため、吸収部内に到達した排泄液を遮液シートにより効果的に拡散して、吸収性樹脂シート及び繊維集合コアの全体で効率よく吸液を行わせることができる。
【００１８】
また、吸収性樹脂シートは、不織布シートの間に繊維を含ませずに吸収性樹脂粉末を内包させた構成であるため、吸液により吸収性樹脂粉末が膨張したとき、吸収性樹脂シートの厚みが大きく膨張する。しかも、吸収性樹脂シートのうち、着用者の排泄部位の付近に位置する排泄部位付近部分での吸液が他の部分よりも進みやすい傾向がある。このため、吸収性樹脂シートの排泄部位付近部分での吸液が他の部分に比して集中的に進み、排泄部位付近部分が部分的に膨張して肌面側に盛り上がり、着用者の排尿口等の排泄部位に密着するように近接する場合がある。そのような状態で、尿等の排泄液の排泄がされた場合、吸収性樹脂シートにおける狭い領域に集中して排泄液が供給されることとなり、吸収性樹脂シートによる排泄液の吸収が追いつかず、排泄液が使い捨て吸収性物品外に漏れ出す場合がある。しかし、本発明に係る構成では、吸収部内に到達した排泄液が遮液シートによって周囲に拡散されるため、吸収性樹脂シートの排泄部位付近部分での吸液が他の部分に比して集中的に進み、排泄部位付近部分が部分的に膨張して肌面側に盛り上がるのを効果的に抑制できる。
【００１９】
請求項５に記載の発明によれば、遮液シートがフィルム状のプラスチックシートであるため、吸収部内に達した排泄液を遮液シートの表面に沿って確実に周囲に拡散することができる。
【００２０】
請求項６に記載の発明によれば、撥水性不織布シートは通気性を有するため、吸収部内に配置された遮液シートによって吸収部の通気性が低下するのを回避できる。
【発明を実施するための最良の形態】
【００２１】
［第１実施形態］
図１は本発明の第１実施形態に係る使い捨て吸収性物品としての使い捨ておむつ（以下、単に「おむつ」という）の平面図であり、図２は図１のおむつのＡ１−Ａ１線に沿った断面の構成を模式的に示す図である。なお、図１、図２及び後述する他の図において、横方向Ｘは着用者の左右方向に対応しており、縦方向Ｙは着用者の前後又は上下方向に対応しており、厚み方向Ｚはおむつ１の厚み方向に対応している。また、図１に示すおむつ１の構成において、図１の図面上における上側がおむつ１の前側に対応している。
【００２２】
本実施形態に係るおむつ１は、テープ型又はパンツ型のおむつ等の股部の内側に敷き込まれて用いられるものである。このおむつ１をテープ型又はパンツ型のおむつ等の股部に敷き込むことにより、おむつの吸液容量が補強され、多量の尿が排尿された場合又は多量の水分を含んだ軟便が排便された場合に対応できるようになる。また、通常又は比較的少量の排尿又は排便がされた場合には、テープ型又はパンツ型のおむつの内側に敷き込んでいるおむつ１のみを交換すれば、外側のおむつはそのまま継続して使用できるという利点もある。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００２３】
このおむつ１は、図１及び図２に示すように、少なくとも一部が透液性を有し、肌面側に配置される内装材１１と、不透液性を有し、外面側に配置される外装材１２と、内装材１１と外装材１２との間に配置され、着用者が排泄した排泄液（例えば、尿又は便に含まれる水分等）を吸収する吸収部１３と、吸収部１３内に配置される遮液シート１４とを備えている。
【００２４】
内装材１１は、表面シートとしてのトップシート１６、及び左右のサイドシート１７等を備えている。トップシート１６は、おむつ１の肌面側における横方向Ｘの中央部に、縦方向Ｙに沿って配置されている。左右のサイドシート１７は、トップシート１６の左右の縁部に肌面側から重なるように、縦方向Ｙに沿って配置されている。トップシート１６は、透液性の合成繊維製不織布又は織布で形成される。サイドシート１７は、サイドシート２５は、撥水性不織布等により形成される。
【００２５】
また、サイドシート１７の横方向Ｘの内方側の端部には糸状の弾性部材１８が伸張された状態で付与されている。この弾性部材１８の収縮によってサイドシート１７の一部が肌面側に向かって立ち上がり、立体ギャザーとして機能する。この立体ギャザーにより排泄物の横漏れが防止される。なお、この弾性部材１８を含む立体ギャザーは省略してもよい。
【００２６】
外装材１２は、バックシート１９によって構成される。バックシート１９は、不透液性の素材が好ましく、撥水性を有する合成繊維製不織布、ポリエチレン等の合成樹脂製フィルム（液不透過性でかつ通気性を有するフィルムが好ましい）、又はそれらが貼り合わされてなる複合シートが用いられる。
【００２７】
吸収部１３は、吸収コアとしての繊維集合コア２１，２２を２層備えている。繊維集合コア２１，２２は、厚み方向Ｚに重ね合わされた状態で、内装材１１と外装材１２との間に挟み込まれている。なお、変形例として吸収部１３に３層以上の繊維集合コア２１，２２を備えてもよい。
【００２８】
各繊維集合コア２１，２２は、集合された繊維からなる繊維集合体２１ａ，２２ａと、繊維集合体２１ａ，２２ａに混入又は散布された吸収性樹脂粉末と、繊維集合体２１ａ，２２ａを包み込む透液性の包装シート２１ｂ，２２ｂとを備えている。繊維集合体２１ａ，２２ａに用いられる繊維としては、主に解繊パルプ繊維又はセルロース繊維が用いられ、必要に応じて熱融着性繊維等を混合してもよい。包装シート２１ｂ，２２ｂには、ティッシュペーパー等の透液性を有するシートが用いられる。なお、繊維集合コア２１，２２の構成要素のうち、吸収性樹脂粉末及び包装シート２１ｂ，２２ｂについては省略してもよい。
【００２９】
繊維集合コア２１，２２を構成する繊維集合体２１ａ，２２ａの平面形状としては、砂時計型、略長方形型、略楕円型等の種々の形状が採用可能である。本実施形態では、繊維集合体２１ａ，２２ａの平面形状が砂時計型とされている。また、おむつ１の平面形状についても、本実施形態では縦方向Ｙの略中間部における左右両側に括れ部が形成された砂時計型が採用されているが、略長方形型等の種々の形状が採用可能である。また、本実施形態では、繊維集合コア２１，２２は、その縦方向Ｙ及び横方向Ｘの寸法及び平面形状が同一のものを採用したが、その縦方向Ｙ及び横方向Ｘの寸法及び平面形状のいずれか一方又は両方が互いに異なったものを採用してもよい。
【００３０】
遮液シート１４は、不透液性の材料により形成され、繊維集合コア２１，２２の間において、このおむつ１の装着時における着用者の身体における排泄液を排泄する排泄部位の付近にのみ位置するように配置され、吸収部１３内に到達した排泄液をその表面に沿って周囲に拡散する。また、厚み方向Ｚから見て、遮液シート１４の外周縁１４ａの全体が吸収部１３の外周縁１３ａよりも内方に位置している。より具体的には、繊維集合コア２１，２２の互いに対向する両対向面の内方部分に遮液シート１４が挟み込まれており、遮液シート１４の周囲において繊維集合コア２１，２２の対向面同士が遮液シート１４を介さずに直接対向している。また、遮液シート１４は、おむつ１の縦方向Ｙ及び横方向Ｘの中央Ｃ１が遮液シート１４の外周縁１４ａよりも内方に位置するように配置されている。遮液シート１４の平面形状については、本実施形態では略長方形の形状が採用されているが、この形状に限定するものではい。なお、吸収部１３の縦方向Ｙ及び横方向Ｘの中央（図示せず）も遮液シート１４の外周縁１４ａよりも内方に位置している。
【００３１】
より好ましくは、遮液シート１４を、その中央Ｃ２がおむつ１の中央Ｃ１よりも着用者のやや前側にずれるように配置するのがよい。これによって、遮液シート１４の中央Ｃ２を着用者の陰部の排尿口に近接させることができる。また、吸収部１３は、その縦方向Ｙ及び横方向Ｘの中央がおむつ１の中央Ｃ１と略一致するように配置されている。
【００３２】
吸収部１３に対する遮液シート１４の寸法比の具体例として、好ましくは、遮液シート１４の横方向Ｘの寸法Ｌｘ２が、吸収部１３の横方向Ｘの寸法Ｌｘ１の約１０％から約７０％の値に設定され、遮液シート１４の縦方向Ｙの寸法Ｌｙ２も、吸収部１３の縦方向Ｙの寸法Ｌｙ１の約１０％から約７０％の値に設定されるのがよい。さらに好ましくは、遮液シート１４の横方向Ｘの寸法Ｌｘ２が、吸収部１３の横方向Ｘの寸法Ｌｘ１の約３０％から約５０％の値に設定され、遮液シート１４の縦方向Ｙの寸法Ｌｙ２が、吸収部１３の縦方向Ｙの寸法Ｌｙ１の約２５％から約４５％の値に設定されるのがよい。
【００３３】
本実施形態では、遮液シート１４はフィルム状のプラスチックシートによって形成されている。そのプラスチックシートの具体例としては、例えば、プラスチックフィルム又は発砲スチロールシートが挙げられる。また、プラスチックシートは、孔を有さずに面状に連続的に連なった孔無しシートが用いられる場合と、微小な多数の孔が設けられた多孔性シートが用いられる場合がある。孔無しシートが用いられた場合は、遮液シート１４により排泄液を遮液シート１４の表面に沿って確実に周囲に拡散できるという利点がある。多孔性シートが用いられた場合は、遮液シート１４に設ける孔の径及び遮液シート１４全体の面積に対する孔の部分の面積の比率（開口率）を調節することにより、排泄液が遮液シート１４を透過する割合（透過率）を調節し、遮液シート１４による排泄液の拡散効果が過度に働くのを防止できる。また、遮液シート１４に設けた多数の孔により、遮液シート１４の配置による吸収部１３の通気性の悪化を抑制できる。
【００３４】
上記のように、遮液シート１４は、着用者の身体における排泄部位の付近にのみ位置するように配置されている。このため、おむつ１が着用されている状態で尿等の排泄液が排泄された場合、図２の矢印Ｂで示されるように、排泄液は、トップシート１６を透過して吸収部１３の肌面側の繊維集合コア２１内に到達し、吸収されながら繊維集合コア２１内をおむつ１の外面側に向けて進み、遮液シート１４に到達し、遮液シート１４の肌面側表面に沿って周囲に拡散される。そして、排泄液は、遮液シート１４の外方に拡散されて、遮液シート１４の外面側の繊維集合コア２２内に進み吸収される。また、排泄液は、遮液シート１４によって拡散される過程で、遮液シート１４の肌面側の繊維集合コア２１内にも浸透して吸収される。また、排泄液の一部が繊維集合コア２２を外面側に透過した場合には、バックシート１９によって止められて繊維集合コア２２内に戻り吸収される。
【００３５】
以上のように、本実施形態によれば、吸収部１３内に到達した排泄液が遮液シート１４により周囲に拡散されるため、吸収部１３の着用者の排泄部位の付近に位置する排泄部位付近部分での吸液が他の部分に比して集中的に進行するのを防止し、吸収部１３全体で効率よく吸液を行わせることができる。その結果、吸収部１３の排泄部位付近部分以外の部分の吸液量が限界量に対して十分に余裕がある状態で生じる排泄液の漏れを有効に抑制できるとともに、吸収部１３全体の実質的な吸液容量を向上させることができる。
【００３６】
また、遮液シート１４が吸収部１３の繊維集合コア２１，２２の間に配置され、吸収部１３の肌面側表面と遮液シート１４との間には、繊維集合コア２１が存在する。このため、吸収部１３内に到達した排泄液が遮液シート１４で止められて吸収部１３の肌面表面側に逆戻りするのを防止できる。
【００３７】
また、遮液シート１４が着用者の身体における排泄部位の付近にのみ位置するように配置されている。このため、遮液シート１４によって周囲に拡散された排泄液が、吸収部１３内の遮液シート１４が存在しない部分（厚み方向Ｚから見て、遮液シート１４の外方の部分）を透過して、遮液シート１４よりも外面側に位置する繊維集合コア２２に到達することができ、その結果、吸収部１３全体で効率よく吸液を行わせることができる。
【００３８】
また、上記の如く、厚み方向Ｚから見て、遮液シート１４の外周縁１４ａの全体が吸収部１３の外周縁１３ａよりも内方に位置し、かつ、おむつ１の縦方向Ｙ及び横方向Ｘの中央Ｃ１が遮液シート１４の外周縁１４ａよりも内方に位置する。このため、遮液シート１４を着用者の身体における排泄部位の付近に確実に位置させて、吸収部１４内に到達した排泄液を遮液シート１４により的確に拡散させることができる。
【００３９】
また、本実施形態では、吸収部１３に、集合された繊維を少なくとも備えて構成された繊維集合体２１ａ，２２ａを有する繊維集合コア２１，２２が２層備えられているため、吸収部１３の吸液容量を向上させることができる。しかも、その繊維集合コア２１，２２の間に遮液シート１４が配置されているため、吸収部１３内に到達した排泄液を遮液シート１４により効果的に拡散して、各層の繊維集合コア２１，２２の全体で効率よく吸液を行わせることができる。
【００４０】
また、遮液シート１４がフィルム状のプラスチックシートであるため、吸収部１３内に達した排泄液を遮液シート１４で確実に周囲に拡散することができる。
【００４１】
［第２実施形態］
図３は本発明の第２実施形態に係る使い捨て吸収性物品としてのおむつの平面図であり、図４は図３のおむつのＡ２−Ａ２線に沿った断面の構成を模式的に示す図であり、図５は図３のおむつに備えられる吸収性樹脂シートの断面図である。なお、本実施形態に係るおむつ３１が上述の第１実施形態に係るおむつ１と実質的に異なる点は、吸収性樹脂シート３２が追加された点と遮液シート１４の配置位置が変更された点のみであり、互いに対応する部分には同一の参照符号を付して説明の重複を回避する。
【００４２】
本実施形態に係るおむつ３１では、図３及び図４に示すように、吸収部１３内の最も肌面側であってトップシート１６の外面側に、吸収コアとしての吸収性樹脂シート３２が追加されている。吸収性樹脂シート３２は、図５に示すように、複数枚（本実施形態では２枚）の透液性の不織布シート３３，３４、及び不織布シート３３，３４の間に繊維を含まずに内包された吸収性樹脂粉末３５等を備えて構成されている。
【００４３】
より具体的な構成としては、不織布シート３３，３４は、例えば、横方向Ｘに間隔をあけて設けられた縦方向Ｙに沿って筋状に延びる複数の接合部３６によって互いに接合されている。そして、不織布シート３３，３４の間における隣り合う接合部３６同士の各間に吸収性樹脂内包部３７が形成され、この吸収性樹脂内包部３７内に繊維を含まない吸収性樹脂粉末３５が内包されている。不織布シート３３，３４の互いに対向する面における吸収性樹脂内包部３７に対応する部分には、接着剤（例えば、ホットメルト接着剤）３８，３９が塗布されている。この接着剤３８，３９は、吸収性樹脂シート３２の製造工程において吸収性樹脂粉末３５を不織布シート３３，３４に固着させる役割等を担っている。不織布シート３３，３４の接合部３６の接合には、加熱溶着又は超音波溶着等の接合手段が用いられる。
【００４４】
吸収性樹脂シート３２の横方向Ｘの寸法Ｌｘ３は、遮液シート１４の横方向Ｘの寸法Ｌｘ２よりも大きく、かつ、繊維集合コア２１，２２によって規定される吸収部１３の横方向Ｘの寸法Ｌｘ１以下（本実施形態では、寸法Ｌｘ１よりも小さい値）に設定されている。吸収性樹脂シート３２の縦方向Ｙの寸法Ｌｙ３は、遮液シート１４の縦方向Ｙの寸法Ｌｙ２よりも大きく、かつ、繊維集合コア２１，２２によって規定される吸収部１３の縦方向Ｙの寸法Ｌｙ１以下（本実施形態では、寸法Ｌｙ１とほぼ同じ値）に設定されている。吸収性樹脂シート３２の平面形状としては、本実施形態では長方形が採用されているが、長方形に限定されるものではない。
【００４５】
また、本実施形態では、遮液シート１４を吸収性樹脂シート３２と、吸収性樹脂シート３２の外面側に隣接して配置された繊維集合コア２１との間に、遮液シート１４を配置している。遮液シート１４の構成、着用者の身体における排泄部位等に対する位置関係、吸収部１３に対するサイズの条件等は、第１実施形態の構成と同様である。なお、本実施形態では、繊維集合コア２１，２２の間には遮液シート１４を配置していないが、変形例として繊維集合コア２１，２２の間にも遮液シート１４を配置してもよい。また、本実施形態では、吸収性樹脂シート３２の外面側に２層の繊維集合コア２１，２２を備えているが、１層の繊維集合コア２１を備えるようにしてもよく、あるいは、３層以上の繊維集合コア２１を備えてもよい。
【００４６】
本実施形態に係る構成においても、遮液シート１４が着用者の身体における排泄部位の付近にのみ位置するように配置されている。このため、おむつ１が着用されている状態で尿等の排泄液が排泄された場合、排泄液は、トップシート１６を透過して吸収部１３の吸収性樹脂シート３２内に到達し、吸収されながら吸収性樹脂シート３２内をおむつ３１の外面側に向けて進み、遮液シート１４に到達し、遮液シート１４の肌面側表面に沿って周囲に拡散される。そして、排泄液は、遮液シート１４の外方に拡散されて、遮液シート１４の外面側の繊維集合コア２１，２２に進み吸収される。また、排泄液は、遮液シート１４によって拡散される過程で、遮液シート１４の肌面側の吸収性樹脂シート３２内にも浸透して吸収される。また、排泄液の一部が繊維集合コア２２を外面側に透過した場合には、バックシート１９によって止められて繊維集合コア２２内に戻り吸収される。
【００４７】
以上のように、本実施形態によれば、上記の如く、吸収部１３内に配置された遮液シート１４の働きによって上述の第１実施形態とほぼ同様な効果が得られるとともに、以下の更なる効果が得られる。
【００４８】
すなわち、上記の如く、吸収性樹脂シート３２は、不織布シート３３，３４の間に繊維を含ませずに吸収性樹脂粉末３５を内包させる構成であるため、厚さを薄く構成しながら、有効な吸液容量を確保できるとともに、一度吸収した排泄液を外部に逃がさない保水性に優れている。そして、このような吸収性樹脂シート３２をトップシート１６とその外面側に隣接して配置される繊維集合コア２１との間に配置しているため、吸収部１３の厚みを抑制しながら、吸収部１３の吸液容量を拡大できるとともに、一旦吸収部１３によって吸収された排泄液がトップシート１６を介しておむつ１の肌面側に逆戻りするを防止できる。
【００４９】
また、吸収部１３の吸収性樹脂シート３２とその外面側に隣接して配置される繊維集合コア２１との間に遮液シート１４が配置されているため、吸収部１３内に到達した排泄液を遮液シート１４により効果的に拡散して、吸収性樹脂シート３２及び繊維集合コア２１，２２の全体で効率よく吸液を行わせることができる。
【００５０】
また、吸収性樹脂シート３２には、吸液により吸収性樹脂粉末３５が膨張したとき、吸収性樹脂シート３２の厚みが大きく膨張するという特性がある。しかも、吸収性樹脂シート３２のうち、着用者の排泄部位の付近に位置する排泄部位付近部分での吸液が他の部分よりも進みやすい傾向がある。このため、吸収性樹脂シート３２の排泄部位付近部分での吸液が他の部分に比して集中的に進み、排泄部位付近部分が部分的に膨張して肌面側に盛り上がり、着用者の排尿口等の排泄部位に密着するように近接する場合がある。そのような状態で、尿等の排泄液の排泄がされた場合、吸収性樹脂シート３２における狭い領域に集中して排泄液が供給されることとなり、吸収性樹脂シート３２による排泄液の吸収が追いつかず、排泄液がおむつ３１外に漏れ出す場合がある。しかし、本実施形態に係る構成では、吸収部１３内に到達した排泄液が遮液シート１３によって周囲に拡散されるため、吸収性樹脂シート３２の排泄部位付近部分での吸液が他の部分に比して集中的に進み、排泄部位付近部分が部分的に膨張して肌面側に盛り上がるのを効果的に抑制できる。
【００５１】
［変形例］
図６は、上述の第１実施形態に係るおむつの変形例であるおむつの断面図であり、おむつ全体に対する断面の位置は上述の図２に示す断面の位置と同一である。この変形例に係るおむつ４１では、図６に示すように、遮液シート１４が吸収部１３の繊維集合コア２１の内部（例えば、繊維集合コア２１の厚み方向Ｚの略中間部）に配置され、外面側の繊維集合コア２２が取り除かれている。なお、図６に示す構成のさらなる変形例として、繊維集合コア２１の外面側に１層又は複数層の繊維集合コアを配置してもよい。この場合、第１実施形態に係る構成のように、繊維集合コア２１の間にも遮液シート１４を配置してもよい。
【００５２】
また、上述の第１及び第２実施形態では、遮液シート１４にフィルム状のプラスチックシートを用いたが、撥水性不織布シートによって遮液シート１４を構成してもよい。撥水性不織布シートは通気性を有するため、吸収部１３内に配置された遮液シート１４によって吸収部１３の通気性が低下するのを回避できる。
【００５３】
また、上述の第１及び第２実施形態では、本発明をテープ型又はパンツ型のおむつ等の股部に敷き込まれて使用されるパット型のおむつに適用した例について示したが、本発明をテープ型のおむつ又はパンツ型のおむつに適用してもよい。あるいは、本発明を生理用ナプキンに適用してもよい。
【図面の簡単な説明】
【００５４】
【図１】本発明の第１実施形態に係る使い捨て吸収性物品としての使い捨ておむつの平面図である。
【図２】図１の使い捨ておむつのＡ１−Ａ１線に沿った断面の構成を模式的に示す図である。
【図３】本発明の第２実施形態に係る使い捨て吸収性物品としての使い捨ておむつの平面図である。
【図４】図３の使い捨ておむつのＡ２−Ａ２線に沿った断面の構成を模式的に示す図である。
【図５】図３の使い捨ておむつに備えられる吸収性樹脂シートの断面図である。
【図６】第１実施形態に係るおむつ変形例であるおむつの断面図である。
【符号の説明】
【００５５】
１  使い捨ておむつ、１１  内装材、１２  外装材、１３  吸収部、１３ａ  外周縁、１４  遮液シート、１４ａ  外周縁、１６  トップシート、１７  サイドシート、１８  弾性部材、１９  バックシート、２１，２２  繊維集合コア、２１ａ，２２ａ  繊維集合体、２１ｂ，２２ｂ  包装シート、３１  使い捨ておむつ、３２  吸収性樹脂シート、３３，３４  不織布シート、３５  吸収性樹脂粉末、３６  接合部、３７  吸収性樹脂粉末内包部、３８，３９  接着剤、４１  使い捨ておむつ。
【図１】
2010142489.tif 000003
【図２】
2010142489.tif 000004
【図３】
2010142489.tif 000005
【図４】
2010142489.tif 000006
【図５】
2010142489.tif 000007
【図６】
2010142489.tif 000008